(57)【特許請求の範囲】
【請求項１】
搬送路においてシートを挟持して搬送向きに搬送する搬送ローラ対と、
上記搬送ローラ対よりも上記搬送向きの上流側に設けられており、シートを、上記搬送路における上記搬送向きと直交する幅方向の中央であって予め設定された基準位置に対応する位置に位置決めした状態で支持可能なトレイと、
上記搬送ローラ対よりも上記搬送向きの下流側に設けられており、ノズルからインクを吐出してシートに画像を記録する記録ヘッドと、
上記ノズルよりも上記搬送向きの上流側且つ上記搬送ローラ対によるシートの挟持位置よりも上記搬送向きの下流側において上記幅方向に間隔を空けて配置されており、シートと当接する複数の第１当接部と、
上記幅方向において隣り合う上記第１当接部の間に配置されており、上記第１当接部と反対側からシートと当接することによって複数の上記第１当接部と協同して当該シートに上記幅方向に沿った波形状を付与する第２当接部と、を備え、
上記搬送ローラ対は、駆動ローラと、当該駆動ローラに対向し且つ上記幅方向に間隔を空けて配置された複数の従動ローラとを備え、
少なくとも１つの上記従動ローラの回転軸は、上記幅方向において上記基準位置から最も離れた第１端が上記基準位置に最も近い第２端よりも上記搬送向きの下流側に位置するように配置されているインクジェット記録装置。
【請求項２】
上記複数の従動ローラのうち、上記幅方向の中央に配置される上記従動ローラの回転軸は、上記駆動ローラの回転軸と平行である請求項１記載のインクジェット記録装置。
【請求項３】
搬送路においてシートを挟持して搬送向きに搬送する搬送ローラ対と、
上記搬送ローラ対よりも上記搬送向きの上流側に設けられており、シートを、上記搬送路における上記搬送向きと直交する幅方向の一方端であって予め設定された基準位置に対応する位置に位置決めした状態で支持可能なトレイと、
上記搬送ローラ対よりも上記搬送向きの下流側に設けられており、ノズルからインクを吐出してシートに画像を記録する記録ヘッドと、
上記ノズルよりも上記搬送向きの上流側且つ上記搬送ローラ対によるシートの挟持位置よりも上記搬送向きの下流側において上記幅方向に間隔を空けて配置されており、シートと当接する複数の第１当接部と、
上記幅方向において隣り合う上記第１当接部の間に配置されており、上記第１当接部と反対側からシートと当接することによって複数の上記第１当接部と協同して当該シートに上記幅方向に沿った波形状を付与する第２当接部と、を備え、
上記搬送ローラ対は、駆動ローラと、当該駆動ローラに対向し且つ上記幅方向に間隔を空けて配置された複数の従動ローラとを備え、
全ての上記従動ローラの回転軸は、上記幅方向において上記基準位置から最も離れた第１端が上記基準位置に最も近い第２端よりも上記搬送向きの下流側に位置するように配置されているインクジェット記録装置。
【請求項４】
搬送路においてシートを挟持して搬送向きに搬送する搬送ローラ対と、
上記搬送ローラ対よりも上記搬送向きの上流側に設けられており、シートを、上記搬送路における上記搬送向きと直交する幅方向の位置であって予め設定された基準位置に対応する位置に位置決めした状態で支持可能なトレイと、
上記搬送ローラ対よりも上記搬送向きの下流側に設けられており、ノズルからインクを吐出してシートに画像を記録する記録ヘッドと、
上記ノズルよりも上記搬送向きの上流側且つ上記搬送ローラ対によるシートの挟持位置よりも上記搬送向きの下流側において上記幅方向に間隔を空けて配置されており、シートと当接する複数の第１当接部と、
上記幅方向において隣り合う上記第１当接部の間に配置されており、上記第１当接部と反対側からシートと当接することによって複数の上記第１当接部と協同して当該シートに上記幅方向に沿った波形状を付与する第２当接部と、を備え、
上記搬送ローラ対は、駆動ローラと、当該駆動ローラに対向し且つ上記幅方向に間隔を空けて配置された複数の従動ローラとを備え、
少なくとも１つの上記従動ローラの回転軸は、上記幅方向において上記基準位置から最も離れた第１端が上記基準位置に最も近い第２端よりも上記搬送向きの下流側に位置するように配置され、
上記幅方向において上記第１当接部が配置された位置では、上記駆動ローラ及び上記従動ローラのうち、搬送されるシートに上記第１当接部と同じ側から当接するローラの回転中心が、搬送されるシートに上記第２当接部と同じ側から当接するローラの回転中心よりも上記搬送向きの下流側に配置されており、
上記幅方向において上記第２当接部が配置された位置では、上記駆動ローラ及び上記従動ローラのうち、搬送されるシートに上記第２当接部と同じ側から当接するローラの回転中心が、搬送されるシートに上記第１当接部と同じ側から当接するローラの回転中心よりも上記搬送向きの下流側に配置されているインクジェット記録装置。
【請求項５】
上記複数の従動ローラのそれぞれにおける上記第１端及び上記第２端の上記搬送向きの距離は、上記基準位置から離れて配置された上記従動ローラである程に大きい請求項１から４のいずれかに記載のインクジェット記録装置。 
【請求項６】
シートを挟持して搬送向きに搬送する搬送ローラ対と、
上記搬送ローラ対よりも上記搬送向きの下流側に設けられており、ノズルからインクを吐出してシートに画像を記録する記録ヘッドと、
上記ノズルよりも上記搬送向きの上流側且つ上記搬送ローラ対によるシートの挟持位置よりも上記搬送向きの下流側において上記搬送向きと直交する幅方向に間隔を空けて配置されており、シートと当接する複数の第１当接部と、
上記幅方向において隣り合う上記第１当接部の間に配置されており、上記第１当接部と反対側からシートと当接することによって複数の上記第１当接部と協同して当該シートに上記幅方向に沿った波形状を付与する第２当接部とを備え、
上記搬送ローラ対は、駆動ローラと、当該駆動ローラに対向し且つ上記幅方向に間隔を空けて配置された複数の従動ローラとを備え、
上記幅方向において上記第１当接部が配置された位置では、上記駆動ローラ及び上記従動ローラのうち、搬送されるシートに上記第１当接部と同じ側から当接するローラの回転中心が、搬送されるシートに上記第２当接部と同じ側から当接するローラの回転中心よりも上記搬送向きの下流側に配置されており、
上記幅方向において上記第２当接部が配置された位置では、上記駆動ローラ及び上記従動ローラのうち、搬送されるシートに上記第２当接部と同じ側から当接するローラの回転中心が、搬送されるシートに上記第１当接部と同じ側から当接するローラの回転中心よりも上記搬送向きの下流側に配置されているインクジェット記録装置。 
【発明の詳細な説明】
【技術分野】
【０００１】
本発明は、ノズルからインクを吐出してシートに画像を記録するインクジェット記録装置に関する。
【背景技術】
【０００２】
従来より、記録部に設けられたノズルからインクを吐出してシートに画像を記録するインクジェット記録装置が知られている。インクジェット記録装置において、装置内部に形成された搬送路を搬送されているシートは、当該シートを支持しているプラテンから浮き上がってしまうことがある。シートの浮き上がりが記録部と対向する位置において発生すると、シートと記録部との間隔が変化してしまい、シートに記録される画像の画質に影響を及ぼしてしまうおそれがある。
【０００３】
このような問題を解決するために、特許文献１には、シートが、搬送方向と直交する幅方向に波打ちした状態でプラテン上を搬送されるように、幅方向において複数の凹凸部が交互に形成されたインクジェット記録装置が開示されている。具体的には、プラテンに幅方向においてそれぞれが間隔を空けて配置された複数のリブが設けられており、幅方向において複数のリブの間に、シートと当接する複数の当接部が配置されている。
【先行技術文献】
【特許文献】
【０００４】
【特許文献１】特開２０００−７１５３２号公報
【発明の概要】
【発明が解決しようとする課題】
【０００５】
特許文献１に開示されたインクジェット記録装置のように複数の凹凸部によってシートに波形状を付与する構成の場合、シートの幅方向の端部では波形状への変形が容易である一方、シートの幅方向の端部以外ではシートの剛性の強さなどによって波形状への変形の容易さが変化する。これにより、波形状を付与されたシートの幅方向における全体での波形は、シートの種類によって変化するおそれがある。つまり、シートの波形は、安定しない。
【０００６】
シートの波形をシートの種類に関わらず安定させるためには、凹凸部によるシートに対する押圧力を大きくすればよい。しかし、シートに対する押圧力が大きくなると、シートに掛かる負荷が大きくなるため、シートが搬送される際に斜行したりスリップしたりする不具合が発生するおそれがあった。
【０００７】
本発明は、上記の事情に鑑みてなされたものであり、その目的は、シートに対する押圧力を小さく抑えつつ、シートに波形状を安定して付与することができるインクジェット記録装置を提供することにある。
【課題を解決するための手段】
【０００８】
(1)  本発明に係るインクジェット記録装置は、搬送路においてシートを挟持して搬送向きに搬送する搬送ローラ対と、上記搬送ローラ対よりも上記搬送向きの上流側に設けられており、シートを、上記搬送路における上記搬送向きと直交する幅方向の位置であって予め設定された基準位置に対応する位置に位置決めした状態で支持可能なトレイと、上記搬送ローラ対よりも上記搬送向きの下流側に設けられており、ノズルからインクを吐出してシートに画像を記録する記録ヘッドと、上記ノズルよりも上記搬送向きの上流側且つ上記搬送ローラ対によるシートの挟持位置よりも上記搬送向きの下流側において上記幅方向に間隔を空けて配置されており、シートと当接する複数の第１当接部と、上記幅方向において隣り合う上記第１当接部の間に配置されており、上記第１当接部と反対側からシートと当接することによって複数の上記第１当接部と協同して当該シートに上記幅方向に沿った波形状を付与する第２当接部と、を備える。上記搬送ローラ対は、駆動ローラと、当該駆動ローラに対向し且つ上記幅方向に間隔を空けて配置された複数の従動ローラとを備える。少なくとも１つの上記従動ローラの回転軸は、上記幅方向において上記基準位置から最も離れた第１端が上記基準位置に最も近い第２端よりも上記搬送向きの下流側に位置するように配置されている。
【０００９】
上記構成によれば、搬送ローラ対に挟持されたシートは、回転軸の第１端が第２端よりも搬送向きの下流側に位置するように配置された従動ローラによって、基準位置に寄せられる。これにより、シートが全体として幅方向に沿った波形状に変形し易くすることができる。その後、搬送ローラ対によって搬送されたシートは、第１当接部及び第２当接部によって幅方向に沿った波形状を付与される。このとき、シートは既に波形状に変形し易くなっているため、第１当接部及び第２当接部のシートに対する押圧力が小さくても、第１当接部及び第２当接部はシートを波形状に変形させることができる。
【００１０】
(2)  上記複数の従動ローラのそれぞれにおける上記第１端及び上記第２端の上記搬送向きの距離は、上記基準位置から離れて配置された上記従動ローラである程に大きい。
【００１１】
上記構成によれば、シートの幅方向の位置に応じた基準位置への寄せ幅のばらつきを低減することができる。
【００１２】
(3)  上記基準位置は、上記搬送路における上記幅方向の中央であってもよい。
【００１３】
(4)  上記複数の従動ローラのうち、上記幅方向の中央に配置される上記従動ローラの回転軸は、上記駆動ローラの回転軸と平行である。
【００１４】
上記構成によれば、シートにおける幅方向の中央の部分の姿勢を安定させつつ、シートにおける幅方向の中央部よりも外側の部分を当該中央の部分へ寄せることができる。
【００１５】
(5)  上記幅方向において上記第１当接部が配置された位置では、上記駆動ローラ及び上記従動ローラのうち、搬送されるシートに上記第１当接部と同じ側から当接するローラの回転中心が、搬送されるシートに上記第２当接部と同じ側から当接するローラの回転中心よりも上記搬送向きの下流側に配置されている。上記幅方向において上記第２当接部が配置された位置では、上記駆動ローラ及び上記従動ローラのうち、搬送されるシートに上記第２当接部と同じ側から当接するローラの回転中心が、搬送されるシートに上記第１当接部と同じ側から当接するローラの回転中心よりも上記搬送向きの下流側に配置されている。
【００１６】
(6)  本発明に係るインクジェット記録装置は、シートを挟持して搬送向きに搬送する搬送ローラ対と、上記搬送ローラ対よりも上記搬送向きの下流側に設けられており、ノズルからインクを吐出してシートに画像を記録する記録ヘッドと、上記ノズルよりも上記搬送向きの上流側且つ上記搬送ローラ対によるシートの挟持位置よりも上記搬送向きの下流側において上記搬送向きと直交する幅方向に間隔を空けて配置されており、シートと当接する複数の第１当接部と、上記幅方向において隣り合う上記第１当接部の間に配置されており、上記第１当接部と反対側からシートと当接することによって複数の上記第１当接部と協同して当該シートに上記幅方向に沿った波形状を付与する第２当接部とを備える。上記搬送ローラ対は、駆動ローラと、当該駆動ローラに対向し且つ上記幅方向に間隔を空けて配置された複数の従動ローラとを備える。上記幅方向において上記第１当接部が配置された位置では、上記駆動ローラ及び上記従動ローラのうち、搬送されるシートに上記第１当接部と同じ側から当接するローラの回転中心が、搬送されるシートに上記第２当接部と同じ側から当接するローラの回転中心よりも上記搬送向きの下流側に配置されている。上記幅方向において上記第２当接部が配置された位置では、上記駆動ローラ及び上記従動ローラのうち、搬送されるシートに上記第２当接部と同じ側から当接するローラの回転中心が、搬送されるシートに上記第１当接部と同じ側から当接するローラの回転中心よりも上記搬送向きの下流側に配置されている。
【００１７】
（５）及び（６）の構成によれば、搬送ローラ対に挟持されたシートは、幅方向において第１当接部に対応する位置では、第１当接部がシートを押圧する向きに向く。一方、当該シートは、幅方向において第２当接部に対応する位置では、第２当接部がシートを押圧する向きに向く。これにより、シートを、第１当接部及び第２当接部による波形状の付与に適した向きへ曲げることができる。
【発明の効果】
【００１８】
本発明によれば、シートに対する押圧力を小さく抑えつつ、シートに波形状を安定して付与することができる。その結果、シートが搬送される際に斜行したりスリップしたりする不具合が発生する可能性を低くすることができる。
【図面の簡単な説明】
【００１９】
【図１】図１は、本発明の実施形態の一例である複合機１０の斜視図である。
【図２】図２は、プリンタ部１１の内部構造を模式的に示す縦断面図である。
【図３】図３は、プラテン４２及びガイドレール５６周辺を示す斜視図である。
【図４】図４は、当接部材８１とプラテン４２と記録用紙１２とを模式的に示す断面図である。
【図５】図５は、当接部材８１とプラテン４２とピンチローラ６１と排出ローラ６２とを模式的に示す平面図である。
【図６】図６は、変形例１における当接部材８１とプラテン４２とピンチローラ６１と排出ローラ６２とを模式的に示す平面図である。
【図７】図７は、別実施形態における記録部２４及びプラテン４２周辺を模式的に示す縦断面図である。
【図８】図８は、別実施形態における当接部材８１とプラテン４２とピンチローラ６１と排出ローラ６２とを模式的に示す平面図である。
【図９】図９は、別実施形態の変形例における当接部材８１とプラテン４２とピンチローラ６１と排出ローラ６２とを模式的に示す平面図である。
【図１０】図１０は、変形例３における当接部材８１とプラテン４２とピンチローラ６１と排出ローラ６２とを模式的に示す平面図である。
【発明を実施するための形態】
【００２０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２１】
［複合機１０の全体構造］
図１に示されるように、本発明のインクジェット記録装置の一例である複合機１０は、薄型の直方体に概ね形成されている。複合機１０の下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録するものであってもよい。
【００２２】
［給送トレイ２０］
図１に示されるように、プリンタ部１１の正面には、開口１３が形成されている。給送トレイ２０が、前後方向８に移動することによって、開口１３を介してプリンタ部１１に挿入及び脱抜可能である。給送トレイ２０は、上側が開放された箱形状の部材である。図２に示されるように、給送トレイ２０の底板２２には、記録用紙１２が重ねられた状態で支持される。給送トレイ２０の前側且つ上側には、排出トレイ２１が支持されている。排出トレイ２１は、給送トレイ２０と一体に前後方向８に移動する。排出トレイ２１の上面には、後述する記録部２４によって画像を記録された記録用紙１２が排出される。
【００２３】
給送トレイ２０の底板２２には、左右方向９（本発明の幅方向の一例）に移動可能な一対のサイドガイド（不図示）が支持されている。各サイドガイドの側面は、それぞれ底板２２に支持された記録用紙１２の左右両端と当接する。一対のサイドガイドのうちの一方が左右方向９の一方に移動すると、他方が連動して左右方向９の他方へ移動する。以上より、本実施形態では、給送トレイ２０に支持され、後述する搬送路６５を搬送され、記録部２４によって画像を記録される記録用紙１２は、搬送路６５において左右方向９の中央が基準位置となるように位置決めされる。つまり、給送トレイ２０は、記録用紙１２を、搬送路６５における左右方向９の中央であって予め設定された基準位置に対応する位置に位置決めした状態で支持可能である。
【００２４】
［給送部１６］
図２に示されるように、給送部１６は、プリンタ部１１に挿入された状態の給送トレイ２０の上方であって記録部２４の下方に配置されている。給送部１６は、給送ローラ２５、給送アーム２６、駆動伝達機構２７、及び軸２８を備えている。給送ローラ２５は、給送アーム２６の先端部で回転可能に支持されている。給送アーム２６は、基端部に設けられた軸２８を中心として、矢印２９の方向に回動する。これにより、給送ローラ２５は、給送トレイ２０または当該給送トレイ２０に支持された記録用紙１２に対して、当接及び離間が可能である。
【００２５】
給送ローラ２５は、複数のギヤが噛合されてなる駆動伝達機構２７によって、給送モータの駆動力が伝達されて回転する。これにより、給送トレイ２０の底板２２に支持された記録用紙１２のうち、給送ローラ２５と当接している最も上側の記録用紙１２が、搬送路６５へ給送される。また、駆動伝達機構２７は、複数のギヤが噛合されている形態に限らず、例えば軸２８と給送ローラ２５の軸とに架け渡されたベルトであってもよい。
【００２６】
［搬送路６５］
図２に示されるように、給送トレイ２０の後端部から搬送路６５が延出されている。搬送路６５は、湾曲部３３と直線部３４とを備える。湾曲部３３は、後側を湾曲外側とし前側を湾曲内側として湾曲しつつ延びている。直線部３４は、前後方向８に延びている。
【００２７】
湾曲部３３は、所定間隔を隔てて互いに対向する外側ガイド部材１８と内側ガイド部材１９とによって形成されている。外側ガイド部材１８は、湾曲部３３の湾曲外側を形成している。内側ガイド部材１９は、湾曲部３３の湾曲内側を形成している。各ガイド部材１８、１９は、図２における紙面と直交する方向である左右方向９に延設されている。直線部３４は、記録部２４が配置されている位置では所定間隔を隔てて互いに対向する記録部２４とプラテン４２とによって形成されている。
【００２８】
給送トレイ２０に支持された記録用紙１２は、給送ローラ２５によって湾曲部３３を下方から上方へＵターンするように搬送されて、後述する搬送ローラ対５９に到達する。搬送ローラ対５９に挟持された記録用紙１２は、直線部３４を記録部２４へ向けて前後方向８に搬送される。記録部２４の直下に到達した記録用紙１２は、記録部２４により画像を記録される。画像が記録された記録用紙１２は、直線部３４を前後方向８に搬送されて排出トレイ２１に排出される。以上より、記録用紙１２は、図２に一点鎖線の矢印で示される搬送向き１５に沿って搬送される。なお、搬送向き１５は、左右方向９と直交する向きである。
【００２９】
［記録部２４］
図２に示されるように、記録部２４は、直線部３４の上側に配置されている。直線部３４の下側且つ記録部２４と対向する位置には、プラテン４２が配置されている。
【００３０】
プラテン４２は、前後方向８及び左右方向９の長さが上下方向７の長さよりも長い平板形状の部材である。図５に示されるように、プラテン４２は、その上面に、後述する複数のリブ７６（本発明の第２当接部の一例）を備えている。プラテン４２は、当該リブ７６の上端によって搬送路６５の直線部３４を搬送向き１５に搬送される記録用紙１２を支持する。なお、プラテン４２は、記録用紙１２を支持可能であるならば、平板形状でなくてもよい。
【００３１】
図２に示されるように、記録部２４は、キャリッジ４０と記録ヘッド３８とを備えている。キャリッジ４０は、前後方向８に間隔を空けて配置された２つのガイドレール５６、５７によって左右方向９へ往復移動可能に支持されている。ガイドレール５６は、記録ヘッド３８よりも搬送向き１５の上流側に配置されている。ガイドレール５７は、記録ヘッド３８よりも搬送向き１５の下流側に配置されている。ガイドレール５６、５７は、左右方向９において搬送路６５の直線部３４の両外側に配置された一対のサイドフレーム（不図示）によって支持されている。なお、キャリッジ４０は、キャリッジ駆動モータ（不図示）から駆動力を付与されることにより移動する。
【００３２】
記録ヘッド３８は、キャリッジ４０に搭載されている。記録ヘッド３８には、インクカートリッジ（不図示）からインクが供給される。記録ヘッド３８の下面には、複数のノズル３９が形成されている。キャリッジ４０が左右方向９に移動しているときに、記録ヘッド３８は、ノズル３９からインク滴をプラテン４２に向けて吐出する。これにより、直線部３４を搬送向き１５に搬送されてプラテン４２に支持された記録用紙１２に画像が記録される。
【００３３】
［搬送ローラ対５９及び排出ローラ対４４］
図２に示されるように、直線部３４における記録ヘッド３８よりも搬送向き１５の上流側、つまりノズル３９よりも搬送向き１５の上流側には、搬送ローラ対５９が配置されている。また、搬送ローラ対５９は、湾曲部３３における給送トレイ２０よりも搬送向き１５の下流側に配置されている。また、直線部３４における記録ヘッド３８よりも搬送向き１５の下流側、つまりノズル３９よりも搬送向き１５の下流側には、排出ローラ対４４が配置されている。
【００３４】
搬送ローラ対５９は、搬送ローラ６０（本発明の駆動ローラの一例）と、搬送ローラ６０の下方に搬送ローラ６０と対向して配置されたピンチローラ６１（本発明の従動ローラの一例）とを備えている。搬送ローラ６０は、左右方向９に延びた中空且つ円柱状の部材である。搬送ローラ６０は、一対のサイドフレームによって、回転可能に支持されている。ピンチローラ６１は、左右方向９に間隔を空けて複数設けられている。ピンチローラ６１は、コイルばねなどの弾性部材（不図示）によって搬送ローラ６０に押圧されている。搬送ローラ対５９は、記録用紙１２を挟持可能である。なお、ピンチローラ６１については、後に詳細に説明される。
【００３５】
排出ローラ対４４は、排出ローラ６２と、排出ローラ６２の上方に排出ローラ６２と対向して配置された拍車６３とを備えている。図５に示されるように、排出ローラ６２は、左右方向９に延びた軸６４と、左右方向９に間隔を空けて軸６４を覆うように取り付けられたローラ部５８とを備えている。排出ローラ６２は、一対のサイドフレームによって、回転可能に支持されている。拍車６３は、左右方向９に間隔を空けて複数設けられている。各拍車６３は、排出ローラ６２のローラ部５８と対向する位置に設けられている。拍車６３は、コイルばねなどの弾性部材（不図示）によって排出ローラ６２のローラ部５８に押圧されている。排出ローラ対４４は、記録用紙１２を挟持可能である。
【００３６】
搬送ローラ６０及び排出ローラ６２は、搬送モータから駆動力を付与されて回転する。搬送ローラ対５９に記録用紙１２が挟持されている状態で搬送ローラ６０が回転すると、当該記録用紙１２は、搬送ローラ対５９によって搬送向き１５に搬送され、プラテン４２上に搬送される。排出ローラ対４４に記録用紙１２が挟持されている状態で排出ローラ６２が回転すると、当該記録用紙１２は、排出ローラ対４４によって搬送向き１５に搬送され、排出トレイ２１上に搬送される。
【００３７】
［当接部材８１］
図２及び図３に示されるように、記録ヘッド３８に形成されたノズル３９よりも搬送向き１５の上流側であり且つ搬送ローラ対５９による記録用紙１２の挟持位置よりも搬送向き１５の下流側には、複数の当接部材８１が配置されている。当接部材８１は、合成樹脂（例えばポリアセタール（ＰＯＭ））により成形されている。なお、当接部材８１は、複数の部材が嵌合などによって組み合わせられたものであってもよい。
【００３８】
図３に示されるように、複数の当接部材８１は、左右方向９（本発明の幅方向の一例）に間隔を空けて配置されている。本実施形態において、当接部材８１の数は７個であるが、７個以外の数であってもよい。なお、各当接部材８１は、独立していてもよいし、互いに連結されていてもよい。もちろん、７個の当接部材８１のうちの一部同士のみが、互いに連結されており、当該一部以外が、独立していてもよい。
【００３９】
各当接部材８１は、ガイドレール５６に取り付けられている。詳細には、各当接部材８１に設けられており先端部が屈曲された凸部９５が、ガイドレール５６に形成された開口９７に挿入されることによって、ガイドレール５６に係合される。これにより、各当接部材８１は、ガイドレール５６に取り付けられる。
【００４０】
各当接部材８１は、凸部９５が設けられた部分から下方且つ前方に湾曲している。これにより、各当接部材８１は、前後方向８において、搬送向き１５におけるノズル３９の上流側近傍まで延設されている。つまり、各当接部材８１は、搬送ローラ対５９よりも搬送向き１５の下流側に設けられている。また、各当接部材８１は、上下方向７において、プラテン４２に向かって延設されている。各当接部材８１の搬送向き１５の下流側先端の当接部８１Ａ（本発明の第１当接部の一例）は、プラテン４２に支持された記録用紙１２の上面と当接可能である。
【００４１】
［リブ７６］
図５に示されるように、プラテン４２は、その上面に、上方に突出されたリブ７６を備えている。リブ７６は、左右方向９に間隔を空けて複数設けられている。本実施形態において、リブ７６の数は６本であるが、６本以外の数であってもよい。各リブ７６は、前後方向８に延設されている。各リブ７６は、記録用紙１２を支持する。つまり、各リブ７６は、記録用紙１２の下面と当接可能である。すなわち、各リブ７６は、当接部８１Ａと反対側から記録用紙１２と当接する。
【００４２】
リブ７６は、左右方向９において、隣り合う当接部８１Ａの間に配置されている。換言すると、当接部８１Ａは、左右方向９において、隣り合うリブ７６の間に配置されている。本実施形態では、リブ７６及び当接部８１Ａは、左右方向９において１つずつ交互に配置されている。また、各リブ７６の上端は、当接部８１Ａにおける記録用紙１２との当接位置（例えば、当接部８１Ａの下端）よりも上方あるいは当該当接位置と同じ高さに位置する。これにより、図４に示されるように、各リブ７６に支持され且つ各当接部８１Ａに当接された記録用紙１２は、左右方向９に連続する波形状にされる。つまり、リブ７６は、記録用紙１２を支持することによって複数の当接部８１Ａと協同して記録用紙１２に左右方向９に沿った波形状を付与する。
【００４３】
［ピンチローラ６１］
図２に示されるように、ピンチローラ６１は、搬送ローラ６０の下方に搬送ローラ６０と対向して配置されている。また、図５に示されるように、ピンチローラ６１は、左右方向９に間隔を空けて複数設けられている。各ピンチローラ６１は、コイルばねなどの弾性部材（不図示）によって搬送ローラ６０に押圧されている。
【００４４】
なお、本実施形態では、ピンチローラ６１は６個設けられているが、ピンチローラ６１の数は６個に限らない。また、図５及び後述する図６、図８、図９、及び図１０では、ピンチローラ６１の上方に配置されている搬送ローラ６０の図示は省略されており、搬送ローラ６０は仮想的に２点鎖線で示されている。
【００４５】
搬送ローラ６０の軸が左右方向９に延びている一方、各ピンチローラ６１の軸７０（本発明の回転軸の一例）は、左右方向９に対して傾斜している。
【００４６】
各ピンチローラ６１の軸７０は、搬送路６５の左右方向９における中央位置ＣＴ（基準位置）から遠い側の端７０Ａ（本発明の第１端の一例）が近い側の端７０Ｂ（本発明の第２端の一例）よりも搬送向き１５の下流側となるように、左右方向９に対して傾斜している。なお、本実施形態において、中央位置ＣＴは、プラテン４２の左右方向９における中央と一致する。
【００４７】
詳細には、中央位置ＣＴよりも右方に位置するピンチローラ６１の軸７０は、右端が左端よりも搬送向き１５の下流側となるように、左右方向９に対して傾斜している。一方、中央位置ＣＴよりも左方に位置するピンチローラ６１の軸７０は、左端が右端よりも搬送向き１５の下流側となるように、左右方向９に対して傾斜している。
【００４８】
本実施形態では、各ピンチローラ６１の軸７０の左右方向９に対する傾斜角度θの大きさは、全てのピンチローラ６１において同一である。
【００４９】
［実施形態の効果］
本実施形態によれば、搬送ローラ対５９に挟持された記録用紙１２は、軸７０の端７０Ａが端７０Ｂよりも搬送向き１５の下流側に位置するように配置されたピンチローラ６１によって、基準位置である中央位置ＣＴに寄せられる。これにより、記録用紙１２が全体として左右方向９に沿った波形状に変形し易くすることができる。その後、搬送ローラ対５９によって搬送された記録用紙１２は、当接部８１Ａ及びリブ７６によって左右方向９に沿った波形状を付与される。このとき、記録用紙１２は既に波形状に変形し易くなっているため、当接部８１Ａ及びリブ７６の記録用紙１２に対する押圧力が小さくても、当接部８１Ａ及びリブ７６は記録用紙１２を波形状に変形させることができる。
【００５０】
［変形例１］
上記の実施形態では、各ピンチローラ６１の軸７０の左右方向９に対する傾斜角度の大きさは、全てのピンチローラ６１において同一であった。しかし、傾斜角度の大きさは、ピンチローラ６１毎に異なっていてもよい。
【００５１】
また、上記の実施形態では、全てのピンチローラ６１の軸７０が左右方向９に対して傾斜していたが、一部のピンチローラ６１の軸７０のみが左右方向９に対して傾斜していてもよい。
【００５２】
例えば、図６に示されるように、左右方向９において中央位置ＣＴ（基準位置）に配置されているピンチローラ６１の軸７０は、左右方向９に延びていてもよい。つまり、左右方向９に対して傾斜していなくてもよい。ここで、「左右方向９において中央位置ＣＴに配置されている」とは、左右方向９において、ピンチローラ６１の軸７０の中央と中央位置ＣＴとが一致している構成の他、中央位置ＣＴがピンチローラ６１の軸７０の右端と左端との間に位置している構成も含む。
【００５３】
また、例えば、図６に示されるように、各ピンチローラ６１は、左右方向９において中央位置ＣＴから離れている程、その軸７０の左右方向９に対する傾斜角度が大きくてもよい。具体的には、図６に示される７個のピンチローラ６１のうち、左右方向９において中央位置ＣＴから最も離れたピンチローラ６１Ａ、６１Ｆの左右方向９に対する傾斜角度θ１は、左右方向９において中央位置ＣＴからの距離がピンチローラ６１Ａ、６１Ｆよりも短いピンチローラ６１Ｂ、６２Ｅの左右方向９に対する傾斜角度θ２よりも大きい。また、傾斜角度θ２は、左右方向９において中央位置ＣＴからの距離がピンチローラ６１Ｂ、６１Ｅよりも短いピンチローラ６１Ｃ、６２Ｄの左右方向９に対する傾斜角度θ３よりも大きい。
【００５４】
変形例１によれば、複数のピンチローラ６１のそれぞれにおける端７０Ａ及び端７０Ｂの搬送向き１５の距離は、基準位置から離れて配置されたピンチローラ６１である程に大きい。そのため、記録用紙１２の左右方向９の位置に応じた基準位置への寄せ幅のばらつきを低減することができる。
【００５５】
また、変形例１によれば、複数のピンチローラ６１のうち、左右方向９の中央に配置されるピンチローラ６１の軸７０は、搬送ローラ６０の軸と平行である。これにより、記録用紙１２における左右方向９の中央の部分の姿勢を安定させつつ、記録用紙１２における左右方向９の中央部よりも外側の部分を当該中央の部分へ寄せることができる。
【００５６】
［変形例２］
上記の実施形態では、搬送ローラ６０は直線部３４の上側に配置されており、ピンチローラ６１は直線部３４の下側に搬送ローラ６０と対向して配置されていたが、搬送ローラ６０とピンチローラ６１との配置は逆であってもよい。つまり、搬送ローラ６０は直線部３４の下側に配置されており、ピンチローラ６１は直線部３４の上側に搬送ローラ６０と対向して配置されていてもよい。
【００５７】
［変形例３］
上記の実施形態は、給送トレイ２０は、記録用紙１２を搬送路６５における左右方向９の中央に対応する位置に位置決めした状態で支持していたが、記録用紙１２を搬送路６５における左端または右端に対応する位置に位置決めした状態で支持していてもよい。
【００５８】
この場合、全てのピンチローラ６１の軸７０が、左右方向９に対して同じ向きに傾斜している。例えば、図１０に示されるように、給送トレイ２０が記録用紙１２を搬送路６５における左端に対応する位置に位置決めした状態で支持している場合、全てのピンチローラ６１の軸７０は、右端が左端よりも搬送向き１５の下流側となるように、左右方向９に対して傾斜している。なお、図１０では、全てのピンチローラ６１の軸７０の傾斜角度は同一であるが、変形例１と同様に各ピンチローラ６１の軸７０の傾斜角度が異なっていてもよい。
【００５９】
［別実施形態］
図７に示されるように、複数のピンチローラ６１の一部であるピンチローラ６１Ａは、それらの回転中心９１Ａ（つまり軸７０の中心）が搬送ローラ６０の回転中心９０よりも搬送向き１５の上流側となるように配置されている。一方、複数のピンチローラ６１の一部以外であるピンチローラ６１Ｂは、それらの回転中心９１Ｂが搬送ローラ６０の回転中心９０よりも搬送向き１５の下流側となるように配置されている。なお、この場合、各ピンチローラ６１の軸７０は、左右方向９に対して傾斜している必要はない。
【００６０】
図８に示されるように、ピンチローラ６１が搬送ローラ６０の下方に配置されている構成では、ピンチローラ６１Ａは、左右方向９において当接部８１Ａが配置された位置に配置されている。また、ピンチローラ６１Ａは、左右方向９においてリブ７６が配置されていない位置に配置されている。ここで、「ピンチローラ６１Ａは、左右方向９において当接部８１Ａが配置された位置に配置されている。」とは、ピンチローラ６１Ａが、左右方向９において、その少なくとも一部が当接部８１Ａと重複するように配置されていることである。また、「ピンチローラ６１Ａは、左右方向９においてリブ７６が配置されていない位置に配置されている。」とは、ピンチローラ６１Ａが、左右方向９において、リブ７６と重複しないように配置されていることである。
【００６１】
また、ピンチローラ６１が搬送ローラ６０の下方に配置されている構成では、ピンチローラ６１Ｂは、左右方向９においてリブ７６が配置された位置に配置されている。また、ピンチローラ６１Ｂは、左右方向９において当接部８１Ａが配置されていない位置に配置されている。ここで、「ピンチローラ６１Ｂは、左右方向９においてリブ７６が配置された位置に配置されている。」とは、ピンチローラ６１Ｂが、左右方向９において、その少なくとも一部がリブ７６と重複するように配置されていることである。また、「ピンチローラ６１Ｂは、左右方向９において当接部８１Ａが配置されていない位置に配置されている。」とは、ピンチローラ６１Ｂが、左右方向９において、当接部８１Ａと重複しないように配置されていることである。
【００６２】
一方、上述した変形例２のように、ピンチローラ６１が搬送ローラ６０の上方に配置されている構成では、上記とは逆に、ピンチローラ６１Ｂが、左右方向９において当接部８１Ａが配置されており且つリブ７６が配置されていない位置に配置されており、ピンチローラ６１Ａが、左右方向９においてリブ７６が配置されており且つ当接部８１Ａが配置されていない位置に配置されている。
【００６３】
以上より、左右方向９において当接部８１Ａが配置された位置では、搬送ローラ６０及びピンチローラ６１のうち、搬送される記録用紙１２に当接部８１Ａと同じ側（上方）から当接するローラの回転中心が、搬送される記録用紙１２にリブ７６と同じ側（下方）から当接するローラの回転中心よりも搬送向き１５の下流側に配置されている。また、左右方向９においてリブ７６が配置された位置（当接部８１Ａが配置されていない位置）では、搬送ローラ６０及びピンチローラ６１のうち、搬送される記録用紙１２にリブ７６と同じ側（下方）から当接するローラの回転中心が、搬送される記録用紙１２に当接部８１Ａと同じ側（上方）から当接するローラの回転中心よりも搬送向き１５の下流側に配置されている。
【００６４】
別実施形態によれば、搬送ローラ対５９に挟持された記録用紙１２は、左右方向９において当接部８１Ａに対応する位置では、当接部８１Ａが記録用紙１２を押圧する向きに向く。一方、当該記録用紙１２は、左右方向９においてリブ７６に対応する位置では、リブ７６が記録用紙１２を押圧する向きに向く。これにより、記録用紙１２を、当接部８１Ａ及びリブ７６による波形状の付与に適した向きへ曲げることができる。
【００６５】
［別実施形態の変形例］
上記の別実施形態では、各ピンチローラ６１の軸７０は、左右方向９に対して傾斜していなかったが、各ピンチローラ６１の軸７０は、左右方向９に対して傾斜していてもよい。
【００６６】
例えば、図９に示されるように、各ピンチローラ６１は、搬送ローラ６０よりも搬送向き１５の上流側または下流側に配置されているとともに、各ピンチローラ６１の軸７０は、左右方向９に対して傾斜していてもよい。
【符号の説明】
【００６７】
９・・・左右方向（幅方向）
１０・・・複合機（インクジェット記録装置）
１２・・・記録用紙
１５・・・搬送向き
２０・・・給送トレイ（トレイ）
３８・・・記録ヘッド
３９・・・ノズル
５９・・・搬送ローラ対
６０・・・搬送ローラ（駆動ローラ）
６１・・・ピンチローラ（従動ローラ）
７０・・・軸（回転軸）
７０Ａ・・・端（第１端）
７０Ｂ・・・端（第２端）
７６・・・リブ（第２当接部）
８１Ａ・・・当接部（第１当接部）
【図１】
0006627229.tif 000002
【図２】
0006627229.tif 000003
【図３】
0006627229.tif 000004
【図４】
0006627229.tif 000005
【図５】
0006627229.tif 000006
【図６】
0006627229.tif 000007
【図７】
0006627229.tif 000008
【図８】
0006627229.tif 000009
【図９】
0006627229.tif 000010
【図１０】
0006627229.tif 000011